(57)【要約】【課題】  記録媒体にインクによって画像をプリントするプリント部と、プリントされた記録媒体をロール状に巻き取る巻き取り部とを有するプリンタにおいて、巻き取り部によって発生する張力に起因する画像の乱れが生じ難いプリンタを提供する。【解決手段】  プリント部４と巻き取り部Ｒ１との間に記録媒体Ｍによるループを形成するループ形成部Ｌを設け、プリント部４とループ形成部Ｌの間に記録媒体Ｍ上のインクを乾燥させる乾燥手段Ｈ１を設けた。【選択図】        図１
2006192780.tif 000002
【特許請求の範囲】
【請求項１】
記録媒体にインクによって画像をプリントするプリント部と、プリントされた記録媒体をロール状に巻き取る巻き取り部とを有するプリンタであって、
前記プリント部と前記巻き取り部との間に記録媒体によるループを形成するループ形成部が設けられており、
前記プリント部と前記ループ形成部の間に、記録媒体上のインクを乾燥させる乾燥手段が設けられているプリンタ。
【請求項２】
前記乾燥手段は、輻射式ヒータと、前記輻射式ヒータによって加熱される記録媒体の表面温度をモニタするためのターゲットと、前記ターゲットの温度が目標値となるように前記輻射式ヒータを制御する制御装置とからなる請求項１に記載のプリンタ。
【請求項３】
さらに、前記ループ形成部の下流側に記録媒体上のインクを乾燥させる第２の乾燥手段が設けられている請求項１または２に記載のプリンタ。
【請求項４】
前記第２の乾燥手段は、輻射式ヒータと、前記輻射式ヒータによって加熱される記録媒体の表面温度をモニタするためのターゲットと、前記ターゲットの温度が目標値となるように前記輻射式ヒータを制御する制御装置とからなる請求項３に記載のプリンタ。
【請求項５】
前記第２の乾燥手段を構成する前記輻射式ヒータは、前記巻き取り部で形成される前記ロールの周面と対向配置されており、前記制御装置は記録媒体の巻き取りに基づく前記ロールの径の増大に応じて前記目標値を設定変更するように構成されている請求項４に記載のプリンタ。
【請求項６】
前記輻射式ヒータは中赤外線ヒータからなる請求項２または４に記載のプリンタ。
【発明の詳細な説明】
【技術分野】
【０００１】
本発明は、記録媒体にインクによって画像をプリントするプリント部と、プリントされた記録媒体をロール状に巻き取る巻き取り部とを有するプリンタに関する。
【背景技術】
【０００２】
この種のプリンタとしては、本発明に関連する先行技術文献情報として下記に示す特許文献１に記されたプロッタがある。この特許文献１に記されたプロッタ（プリンタ）では、プリント部としてインクジェット方式のプリントヘッドを用い、記録媒体をプラテンに押し付ける吸引ファンが設けられている。そして、吸引ファンが形成する風が記録媒体に当たるように巻き取りローラを吸引ファンの下流側に配置しているので、画像を形成しているインクが巻き取り時に記録媒体の裏面に付着して画像が乱れるのを防止している。また、吸引ファンと巻き取りローラの間にはオン・オフ制御可能なヒータを設けてあり、プリントされたインク量が所定量より多い場合には、このヒータをオンにすることでインクの乾燥効率を高めるように構成されている。
【０００３】
【特許文献１】特開２０００−１０８３２５号公報（段落番号００２０〜００２３、図１）
【発明の開示】
【発明が解決しようとする課題】
【０００４】
しかし、特許文献１に記されたプリンタでは、巻き取りローラによって記録媒体に加えられる張力が巻き取り径によって変化するために、この張力がプリントヘッド下の記録媒体の挙動に微妙な影響を与え、画像に乱れが生じるという問題があった。尚、このような画像の乱れを解決する方法として、プリント部と巻き取り部との間に記録媒体によるループを形成するループ形成部を設けることで、巻き取り部が引き起こす張力などの影響がプリント部に及ぶことを規制する方法が考えられるが、一般に、ループを形成する機構は記録媒体を表裏両面から挟着する手段を必要とするため、この方法では、インクの乾燥が不十分な状態で記録媒体がループ形成部に達すると挟着手段にインクの成分が転写されると、同成分が再度記録媒体に転写されて記録媒体の画像を乱す別の要因になる虞があった。
【０００５】
したがって、本発明の目的は、上に例示した従来技術によるプリンタの持つ前述した欠点に鑑み、巻き取り部によって発生する張力に起因する画像の乱れが生じ難く、且つ、ループ形成部の設置に基づく別要因による画像の乱れも生じ難いプリンタを提供することにある。
【課題を解決するための手段】
【０００６】
本発明の第１の特徴構成は、
記録媒体にインクによって画像をプリントするプリント部と、プリントされた記録媒体をロール状に巻き取る巻き取り部とを有するプリンタであって、
前記プリント部と前記巻き取り部との間に記録媒体によるループを形成するループ形成部が設けられており、
前記プリント部と前記ループ形成部の間に、記録媒体上のインクを乾燥させる乾燥手段が設けられている点にある。
【０００７】
したがって、本発明の第１の特徴構成によるプリンタでは、ループ形成部によって、プリント部と巻き取り部の間に位置する記録媒体の部位に、張力の加わらない弛み部（ループ）が形成されるので、記録媒体の張力の変動等によって画像の乱れが生じることが防止される。しかも、プリント部とループ形成部の間に乾燥手段が設けられているので、ループ形成部を構成するローラに記録媒体から未乾燥のインクが転写されて、それが記録媒体の別の個所に再転写されることで画像の乱れが生じるといった事態が防止される。その結果、所期の解像度を備えたクリアな画像を形成可能なプリントが提供される。
【０００８】
本発明の第２の特徴構成は、前記乾燥手段は輻射式ヒータと、前記輻射式ヒータによって加熱される記録媒体の表面温度をモニタするためのターゲットと、前記ターゲットの温度が目標値となるように前記輻射式ヒータを制御する制御装置とからなる点にある。
したがって、本発明の第２の特徴構成によるプリンタでは、記録媒体の表面とターゲットを同時に加熱する輻射式ヒータと、記録媒体の表面温度を正確にモニタするターゲットとの組み合わせによって、記録媒体の表面温度を正確に所定の目標値に維持管理できるので、インクを確実に乾燥でき、且つ、記録媒体が樹脂等の材料を含む場合でも、過度の熱による影響で記録媒体が歪むなどの事態を防止できる。
【０００９】
本発明の第３の特徴構成は、さらに、前記ループ形成部の下流側に記録媒体上のインクを乾燥させる第２の乾燥手段が設けられている点にある。
したがって、本発明の第３の特徴構成によるプリンタでは、ループ形成部より上流の乾燥手段によって一旦乾燥されたインクが、記録媒体がループ形成部を通過後に、高湿な環境条件などによって再度湿気を帯び、巻き取り部で後続する記録媒体の裏面に転写される、等の事態が、ループ形成部の下流側に設けた第２の乾燥手段によってインクが再度乾燥されることによって防止される。尚、第２の乾燥手段の設置位置は、ループ形成部の下流側、すなわち、ループ形成部と巻き取り部の間、或いは、巻き取り部とすることができるが、第２の乾燥手段によって乾燥されたインクが再度湿気を帯びることを防ぐという観点から、巻き取り部で巻き取られた記録媒体の上に後続する記録媒体が重ね合わされる直前の位置に設置するのが最も好ましい。
【００１０】
本発明の第４の特徴構成は、前記第２の乾燥手段は輻射式ヒータと、前記輻射式ヒータによって加熱される記録媒体の表面温度をモニタするためのターゲットと、前記ターゲットの温度が目標値となるように前記輻射式ヒータを制御する制御装置とからなる点にある。
したがって、本発明の第４の特徴構成によるプリンタでは、ループ形成部の下流側に設けた第２の乾燥手段において、記録媒体の表面とターゲットを同時に加熱する輻射式ヒータと、記録媒体の表面温度を正確にモニタするターゲットとの組み合わせによって、記録媒体の表面温度を正確に所定の目標値に維持管理できるので、インクを確実に乾燥でき、且つ、記録媒体が樹脂等の材料を含む場合でも、過度の熱による影響で記録媒体が歪むなどの事態を防止できる。
【００１１】
本発明の第５の特徴構成は、第２の乾燥手段を構成する前記輻射式ヒータは、前記巻き取り部で形成される前記ロールの周面と対向配置されており、前記制御装置は前記ロールの径の増大に応じて前記目標値を設定変更するように構成されている点にある。
したがって、本発明の第５の特徴構成によるプリンタでは、ロールに巻き取られた記録媒体に後続の記録媒体の裏面が重ねられる直前に乾燥されるので、乾燥後の再加湿の虞もなく転写が確実に防止される。さらに、プリントの進行に応じてロールの径が増大しても、それに応じて、輻射式ヒータによる目標温度が修正されるので、輻射式ヒータによって加熱される記録媒体の表面温度は、ロールの径と無関係に略一定に保たれる。
【００１２】
本発明の第６の特徴構成は、前記輻射式ヒータは中赤外線ヒータからなる点にある。
したがって、本発明の第５の特徴構成によるプリンタでは、水分に吸収され易い波長（２〜４μｍ）の中赤外線が輻射式ヒータから記録媒体に向けて放射されるので、プリント部がインクジェット式のプリントヘッドからなる場合には、特にインクの乾燥操作が円滑に実施される。
【００１３】
本発明によるその他の特徴および利点は、以下図面を用いた実施形態の説明により明らかになるであろう。
【発明を実施するための最良の形態】
【００１４】
本発明の一つの実施形態としての記録媒体処理装置について以下に説明する。
（記録媒体処理装置の全体構成）
図１に示す記録媒体処理装置１は、シート状の記録媒体Ｍに昇華性の染料を含むインクで画像形成を施すプリンタＰと、プリンタＰから排出される記録媒体Ｍを加熱することによって染料を定着する加熱定着ユニットＦとからなる。プリンタＰは本発明による一つの好適な実施形態としてのプリンタである。
【００１５】
（記録媒体の構成）
記録媒体Ｍは、所定の剛性を備えたシート状の基材と、基材の上面に接着剤層等を介して密着貼付されたインク受容層とからなる。基材は、ＰＥＴ等の合成樹脂材料などで形成されたベースシートと、ベースシートの上面に一体的に設けられた耐候性の高い保護層とからなる。保護層は例えばフッ素樹脂などで形成されている。尚、保護層はプリンタＰでの画像形成で使用する水性のインクとの親和性が低いが、インク受容層は、この水性のインクとの親和性が十分に高い。
記録媒体Ｍは、後述するように、プリンタＰで昇華性の染料を含む水性のインクによってインク受容層上に画像をプリントし、プリント後に加熱定着ユニットで加熱処理することで昇華性の染料を記録媒体Ｍの内部に昇華させて定着することを前提に設計されている。
【００１６】
（昇華性染料の定着について）
プリンタＰでは、昇華性の染料を含む水性のインクが、記録媒体Ｍのインク受容層の表面付近に常温で載置される。プリンタＰから排出された記録媒体Ｍを加熱定着ユニットＦで適切な加熱条件（約１８０℃）で加熱すると、受容層の表面付近に位置するインクから昇華性の染料が昇華して、受容層の内部に移動し、さらに、保護層を通過し、ベースシートと保護層の界面、乃至は、ベースシートの表面近くの内部まで到達して、ここに定着される。定着が完了すると、任意の時点で基材からインク受容層をシート状のまま容易に引き剥がすことができる。インク受容層を引き剥がした状態では、記録媒体Ｍの基材内に定着された染料は、表面からは耐候性の保護層によって、裏面からはベースシートによって保護され、同時に、少なくとも基材の上面側からは透明性の高い保護層を介して良く透視できる形になる。
【００１７】
（プリンタの構成）
プリンタＰは、ロール状に巻き取られた長尺の記録媒体Ｍを回転自在に支持する貯留部２を備えており、数組の搬送ローラ対からなる搬送機構３によって貯留部２から引き出されて、副走査方向に搬送される記録媒体Ｍに対して、前記副走査方向と直行する主走査方向に往復移動可能なインクジェット式のプリントヘッド４（プリント部の一例）によって画像が形成される。また、プリントヘッド４には記録媒体Ｍを主走査方向に沿って切断するカッターＣが設けられている。
【００１８】
プリンタＰの下方には、プリンタＰから排出されたプリント済みの記録媒体Ｍを一旦、巻き芯Ｔ上にロール状に巻き取るための第１巻き取り装置Ｒ１（巻き取り部の一例）が設けられている。図２に示すように、第１巻き取り装置Ｒ１は、筒状の巻き芯Ｔと、巻き芯Ｔの両端の内面に嵌着される一対の支持コーン７と、支持コーン７を回転可能に支持する一対の支持ブラケット６とを備え、片方の支持コーン７の背面には、トルクレリーサと連結ギヤ等からなる伝導機構（不図示）を介してステッピングモータからなる駆動モータＥ１の出力軸が連結されている。記録媒体処理装置１に備えられた制御装置５０は、基本的に搬送機構３による搬送速度に応じて、駆動モータＥ１を回転駆動し、プリント済みの記録媒体Ｍが巻き芯Ｔ上に巻き取られて行く。
【００１９】
プリントヘッド４と第１巻き取り装置Ｒ１との間にはループ形成部Ｌが設けられている。ループ形成部Ｌは、記録媒体Ｍの弛み部を形成して保持することで、第１巻き取り装置Ｒ１から記録媒体Ｍに加えられる張力が、搬送機構３による搬送速度に影響を及ぼすことを防止する。ループ形成部Ｌは、記録媒体Ｍを圧着支持する一対の搬送ローラ５を備え、搬送ローラ５は、前記弛み部を形成した状態で記録媒体Ｍを圧着した後は、搬送機構３と連結された伝導機構（不図示）によって、基本的に搬送機構３と同期した搬送速度となるように回転駆動される。
【００２０】
（乾燥機構の構成）
プリントヘッド４とループ形成部Ｌの間には、記録媒体Ｍ上のインクを乾燥させる第１乾燥手段Ｄ１が設けられており、第１巻き取り装置Ｒ１の付近にも、記録媒体Ｍ上のインクを乾燥させる第２乾燥手段Ｄ２が設けられている。
第１乾燥手段Ｄ１と第２乾燥手段Ｄ２は、インク内の昇華性染料が昇華しない程度の温度条件（約５０℃〜４５℃）でインクを乾燥させることで、未乾燥のインクが搬送ローラ５の周面や後続の記録媒体Ｍ上の裏面に転写されるのを防止する役目を果たす。
【００２１】
第１乾燥手段Ｄ１は、記録媒体Ｍの幅方向に沿って配置された中赤外線ランプヒータＨ１（輻射式ヒータの一例）と、中赤外線ランプヒータＨ１によって最も高温に加熱される記録媒体Ｍの部位の表面温度をモニタするためのターゲットＧ１とを備えている。
図２に示すように、４基の中赤外線ランプヒータＨ１が、記録媒体Ｍの幅方向に沿って互いに重複部を有するように、且つ、最も幅の大きな記録媒体Ｍ（１，２７０ｍｍ）の通過域よりも更に両外側の領域までカバーするように千鳥状に配置されている。但し、中赤外線ランプヒータＨ１から記録媒体Ｍまでの距離は一定である。個々の中赤外線ランプヒータＨ１は、矩形容器状の筐体１２と、ガラス管１４によって包囲された状態で筐体内に配置された一対の発熱体１３と、発熱体１３から放射される中赤外線を記録媒体Ｍの方向に集中させるための一対のリフレクタ１５とからなる。中赤外線ランプヒータＨ１は、水の吸収帯によく適合した波長（２〜４μｍ）の中赤外線を放射するものが選択されている。尚、中赤外線ランプヒータの数や配置方法を適宜変更可能なことは言うまでもない。
【００２２】
ターゲットＧ１は、記録媒体Ｍの搬送方向下流側から見て、最も幅の大きな記録媒体Ｍの通過域よりも更に図２の左側に配置されており、中赤外線ランプヒータＨ１からのターゲットＧ１までの距離が、中赤外線ランプヒータＨ１から記録媒体Ｍまでの距離とほぼ等しくなるように配置されている。ターゲットＧ１は、図３及び図４に例示するように、記録媒体Ｍと平行に配置されたステンレス鋼製の板材１６と、板材１６の中央付近にネジ１８ａとナット１８ｂで取り付けられたサーミスタ１７ａとからなる。板材１６は、その矩形の長辺と平行に延びた２本のスリット１６ｃによって、矩形の中央付近に位置する帯状の受熱部１６ａと、矩形の左右に位置する取付け部１６ｂとに分割されている。サーミスタ１７ａは受熱部１６ａに密着固定されている。尚、サーミスタ１７ａの板材１６への取り付けはネジとナットによる方法の他に接着剤などを用いて実施しても良い。
【００２３】
ターゲットＧ１は、取付け部１６ｂ内の互いに対角線上に位置する２つのネジ孔１６ｄに挿通されるネジによってプリンタＰのフレームの一部に固定されている。そして、スリット１６ｃは、受熱部１６ａを取付け部１６ｂから熱的に遮断する役目、言い換えれば、取付け部１６ｂを介して前記フレームなどの熱がサーミスタ１７ａに伝わること、及び、サーミスタ１７ａを含む受熱部１６ａの熱がフレームなどに拡散することを抑制する役目を果たす。尚、ターゲットＧ１は、帯状の受熱部１６ａが、記録媒体Ｍの搬送方向に略沿って延びるように設置されている。
【００２４】
ところで、中赤外線ランプヒータＨ１の発光分布は、図３に示すように、ピーク域が記録媒体Ｍの副走査方向よりも下方に延びた広がりを有するので、もしも中赤外線ランプヒータＨ１の取付け角度が図３の矢印Ｊが示す方向でずれていると、サーミスタ１７ａの位置が中赤外線ランプヒータＨ１のピーク域或いは熱的な中心線から外れる結果になり易い。しかし、ターゲットＧ１の帯状の受熱部１６ａは、記録媒体Ｍの搬送方向に略沿って延びるように設置されているので、サーミスタ１７ａの取り付け角度が記録媒体Ｍの副走査方向に沿って多少変位していても、帯状の受熱部１６ａの任意の一部が中赤外線ランプヒータＨ１のピーク域内にあれば、中赤外線ランプヒータＨ１によって得られる温度分布内のピーク温度を正確にモニタすることができる。
【００２５】
図５に示すように、制御装置５０は、ターゲットＧ１の目標加熱温度を設定するための目標温度設定手段５１を有し、ターゲットＧ１に関しては、制御装置５０と接続されたキーボード（不図示）からオペレータなどが目標温度を設定できるように構成されている。ここでは、ターゲットＧ１の目標温度を５０℃に設定する。制御装置５０は、ターゲットＧ１のサーミスタ１７ａからの温度信号を入力しながら、サーミスタ１７ａの検出温度が５０℃となるように中赤外線ランプヒータＨ１に対する通電量を制御する。
【００２６】
ループ形成部Ｌと第１巻き取り装置Ｒ１との間に配置された第２乾燥手段Ｄ２も、基本的には前述の第１乾燥手段Ｄ１と同様の構成である。第２乾燥手段Ｄ２の中赤外線ランプヒータＨ２は、第１巻き取り装置Ｒ１で巻き芯Ｔ上に形成される記録媒体Ｍのロールの周面と対向するように固定配置されている。第２乾燥手段Ｄ２のターゲットＧ２も、ターゲットＧ１と同じ構造を有し、最も幅の大きな記録媒体Ｍの通過域よりも更に左側に配置されている。但し、ターゲットＧ２は、中赤外線ランプヒータＨ２からのターゲットＧ２までの距離が、巻き芯Ｔ上での巻き径が最小の時の中赤外線ランプヒータＨ２から記録媒体Ｍまでの距離と等しくなるように配置されている。個々の中赤外線ランプヒータＨ２の構造は、中赤外線ランプヒータＨ１と同じものが採用されている。
【００２７】
プリントの進行に伴って巻き芯Ｔ上でのロールの径が増大すると、それに連れて中赤外線ランプヒータＨ２から記録媒体Ｍまでの距離が小さくなるので、この距離の変化によって記録媒体Ｍの加熱条件が大きく変わらないように、巻き芯Ｔ上でのロールの径の増大に応じて、ターゲットＧ２の目標温度を低温側に自動的に設定変更するように構成されている。具体的な構成としては、図５に示すように、制御装置５０の目標温度設定手段５１は、ターゲットＧ２に関しては、巻き芯Ｔ上でのロールの径に基づいてターゲットＧ２の目標温度を判定するように構成されている。この目標温度設定手段５１は、第１巻き取り装置Ｒ１の駆動モータＥ１の回転パルス数に基づいてループ形成部Ｌの搬送ローラ５の延べ回転量を算出し、更にこの延べ回転量から巻き芯Ｔ上でのロールの径を算出するロール径算出手段５２と、ロールの径とその径に適した目標温度とを対応させたメモリ５０ａ内のＬＵＴ（ルックアップテーブル）５３とを有する。
【００２８】
制御装置５０は、ターゲットＧ２を目標温度設定手段５１が決定した温度とするように中赤外線ランプヒータＨ２を駆動制御する。すなわち、プリント開始初期など巻き芯Ｔ上のロールの径が最小の時には、ターゲットＧ２のサーミスタ１７ｂが初期目標温度である４５℃となるように中赤外線ランプヒータＨ２を駆動制御する。そして、プリントが或る程度進行すると、目標温度設定手段５１は、駆動モータＥ１の回転パルス数に基づいて巻き径が中位であると判断し、ＬＵＴ５３を基に目標温度を４０℃に下げる。プリントがさらに進行し、中赤外線ランプヒータＨ２までの距離が最小になると、目標温度設定手段５１は、駆動モータＥ１の回転パルス数から巻き径が最大値付近であると判断し、ＬＵＴ５３を基に目標温度を３５℃と設定変更する。このような制御装置５０による制御によって、巻き芯Ｔ上のロールの径の大小に関わらず、記録媒体Ｍの表面の温度は巻き芯Ｔに巻き取られる前の所定時間にわたってほぼ４５℃に保持される。
尚、第１乾燥手段Ｄ１とループ形成部Ｌの間には、Ａ４版などの小サイズの記録媒体Ｍを第１乾燥手段Ｄ１によって乾燥後の状態で取り出すための排出口Ｆが設けられている。
【００２９】
（加熱定着ユニットの構成）
図１に示すように、加熱定着ユニットＦの内部には、外部から断熱層（不図示）によって熱的に遮断された加熱領域Ｑが設けられている。加熱定着ユニットＦの内部には、後述する供給ユニットＳから提供される記録媒体Ｍを、加熱領域Ｑ内で搬送する搬送機構２０が設けられている。搬送機構２０は数組の耐熱性の搬送ローラ対２１によって構成されている。搬送機構２０によって搬送される記録媒体Ｍは、平坦な支持パネル２２の平滑な上面を滑りつつ移動する。
加熱領域Ｑ内には、加熱領域Ｑ内の空気を所定の昇華温度（ここでは約１８０℃）に加熱するための第１加熱機構が設けられている。第１加熱機構は、記録媒体Ｍの搬送面の上方で加熱領域Ｑの中央よりも上流寄りに配置された複数の棒状発熱体からなる発熱部２３、及び、加熱領域Ｑ内の温度分布を均一化するために加熱領域Ｑの中央よりも下流寄りに配置された攪拌用ファン２４を有する。加熱領域Ｑ内には、第１加熱機構とは別に、記録媒体Ｍを、主にその裏面側（ベースシート側）から、原則的に接触を介して昇華性インクを定着する第２加熱機構が設けられている。第２加熱機構は、支持パネル２２を下方から加熱する面状ヒータ（不図示）によって構成されており、支持パネル２２の上面は前記面状ヒータによって約１８０℃に保持される。
【００３０】
加熱領域Ｑの下流側に設けられた記録媒体Ｍの排出部は、急勾配の傾斜姿勢で下向きに延びた傾斜案内プレート２５と、記録媒体Ｍの表裏両面に圧着して搬送する第１排出ローラ対２６と、この第１排出ローラ対２６から送り出される記録媒体Ｍの向きを水平に近い方向に修正する偏向板２７と、この偏向板２７から押し出される記録媒体Ｍを略水平な方向に引き出す第２排出ローラ対２８とを備えている。傾斜案内プレート２５の表面は、裏面に配置された面状ヒータによって１００℃以下の温度に加熱されている。
加熱定着ユニットＦの上流側には、プリンタＰの第１巻き取り装置Ｒ１で巻き取られたプリント済みの記録媒体Ｍを加熱定着ユニットＦに供給するための供給ユニットＳが配置されている。供給ユニットＳは、第１巻き取り装置Ｒ１によって巻き取られた記録媒体Ｍのロールをセットするためのロール保持部３０と、ロールから巻き戻された記録媒体Ｍの部位を上下から挟着する供給ローラ対３５とを備えている。
【００３１】
ロール保持部３０は、筒状の巻き芯Ｔと、巻き芯Ｔの両端の内面に嵌着される一対の支持コーン３２と、支持コーン３２を回転可能に支持する一対の支持ブラケット３１とを備え、片方の支持コーン３２には、ロールの自由な回転を規制するフリクション機構３３が設けられている。ロール保持部３０の支持コーン３２は駆動モータには連結されていない。フリクション機構３３の空転トルク値は外部から手動で変更可能に設けられており、通常は、記録媒体Ｍに皺などの欠点が生じないように、記録媒体Ｍに加えられる引張り力が、加熱定着ユニットＦ内の搬送機構２０の有する搬送力の２０％以下となるように設定されている。
【００３２】
（第２巻き取り装置の構成）
加熱定着ユニットＦの下流側には、加熱定着ユニットＦから排出される定着済みの記録媒体Ｍを巻き取る第２巻き取り装置Ｒ２が配置されている。第２巻き取り装置Ｒ２は、第１巻き取り装置Ｒ１と同様に、筒状の巻き芯Ｔ′と、巻き芯Ｔ′の両端の内面に嵌着される一対の支持コーン３９と、支持コーン３９を回転可能に支持する一対の支持ブラケット３８とを備え、片方の支持コーン３９の背面には、トルクレリーサ４０と連結ギヤ（不図示）等からなる伝導機構を介して駆動モータＥ２の出力軸が連結されている。
トルクレリーサ４０の空転トルク値も外部から手動で変更可能に設けられているが、通常は、記録媒体Ｍに皺などの欠点が生じないように、第２巻き取り装置Ｒ２による記録媒体Ｍの引っ張り力が、加熱定着ユニットＦ内の搬送機構２０の有する搬送力の３０％以下となるように設定されている。
【産業上の利用可能性】
【００３３】
記録媒体にインクによる画像をプリントするプリント部と、プリントされた記録媒体をロール状に巻き取る巻き取り部とを有するプリンタの技術であり、特に、巻き取りローラから記録媒体に加えられる張力の影響で画像に乱れが生じる現象が抑制されたプリンタを提供可能な技術として利用される。
【図面の簡単な説明】
【００３４】
【図１】本発明によるプリンタを備えた記録媒体処理装置の概略斜視図
【図２】図１の記録媒体処理装置を構成するプリンタの概略斜視図
【図３】図２のプリンタに備えられたヒータとターゲットとを示す破断側面図
【図４】図３のターゲットを示す平面図
【図５】図２のプリンタに関連する制御装置の説明図
【符号の説明】
【００３５】
Ｍ  記録媒体
Ｐ  プリンタ
４  プリントヘッド（プリント部）
Ｄ１、Ｄ２  第１及び第２乾燥手段
Ｒ１、Ｒ２  第１及び第２巻き取り部
Ｈ１、Ｈ２  中赤外線ランプヒータ（乾燥手段、輻射式ヒータ）
Ｇ１、Ｇ２  ターゲット
１６ａ  受熱部
１６ｂ  取付け部
１６ｃ  スリット
１７ａ  サーミスタ
５０  制御装置
５０ａ  メモリ
５１  目標温度設定手段
５２  ロール径算出手段
５３  ＬＵＴ
Ｆ  加熱定着ユニット
【図１】
2006192780.tif 000003
【図２】
2006192780.tif 000004
【図３】
2006192780.tif 000005
【図４】
2006192780.tif 000006
【図５】
2006192780.tif 000007